(57)【要約】【課題】  締め付け及び取り外しがやり難い場所等にあるボルト等の締め付け等に使用され、その締め付け等が確実に行われると共に、取り外したボルト等が脱落しないようにしたボールポイント型レンチを提供する。【解決手段】  ボールポイント型レンチ１００の頭部１には貫通孔３が設けられ、この貫通孔３内には頭部１から少し突出した状態でゴム部材２が挿着される。このゴム部材２がボルト等の角穴に圧接し締め付けや取り外しの確実化ができ、かつ取り外したボルトの脱落が防止される。【選択図】  図２
0003128498.tif 000002
【実用新案登録請求の範囲】
【請求項１】
一端側に略球状の頭部を形成しＬ型に曲げられているボールポイント型レンチであって、該レンチは、前記頭部に貫通孔又は底付き穴を形成し、前記貫通孔又は底付き穴内にゴム部材を挿着し、前記ゴム部材の端部を前記頭部の外面から少し突出させることを特徴とするボールポイント型レンチ。
【請求項２】
前記ゴム部材が、シリコンゴム材からなることを特徴とする請求項１に記載のボールポイント型レンチ。
【請求項３】
前記ゴム部材が、その突出端を略弧状に形成することを特徴とする請求項１又は２に記載のボールポイント型レンチ。
【考案の詳細な説明】
【技術分野】
【０００１】
本考案は、Ｌ型に曲げられると共にその端部にボルト等の角穴に嵌り込む略球状の頭部を有するレンチに係り、特に頭部を角穴内面に圧接させてボルト等を保持し得るボールポイント型レンチに関する。
【背景技術】
【０００２】
従来より、ボールポイント型レンチは各種形状のものが開示されている。このボールポイント型レンチ１００ａとして最もポピラーに使用されているものとして図６に示すものが挙げられる。このボールポイント型レンチ１００ａは図示のように横断面六角形状の棒体をＬ型に曲げたものからなりその一端側には略球状の頭部１が形成される。また、公知技術としても数多く存在するが、例えば、「特許文献１」が挙げられる。
【特許文献１】特開２００３−２０５４７２号（図１）
【考案の開示】
【考案が解決しようとする課題】
【０００３】
図６に示したボールポイント型レンチ１００ａや「特許文献１」に示した「レンチ体」はほぼ同一形状のものからなり、その一端に略球状の頭部１を形成するものからなる。このボールポイント型レンチ１００ａ等は図７又は「特許文献１」の（図１）に示すように、ボルト５の頭に形成される角穴６にフレキシビリテイをもった状態で装着されるものであり、ボルト５の軸線と合致する方向にボールポイント型レンチ１００ａの軸部を位置づける必要がなく、ボルト５の軸線に対して傾斜した状態で頭部１を角穴６に係合でき、その状態でボルト５の締め付けや取り外しができる点に大きな特徴を有するものである。
【０００４】
以上のように、ボールポイント型レンチ１００ａは大きな特徴を有するものであるが、次のような問題点がある。即ち、使用時において図７に示すようにボルト５の角穴６の内面にボールポイント型レンチ１００ａの頭部１の外周が圧接するため、頭部１が摩耗してガタが生じてねじ廻しが円滑にできなくなると共に、取り外しされたボルト５がボールポイント型レンチの頭部１に保持されずにずれ落ちてしまう問題点がある。
【０００５】
以上の問題点を解消するものとして図５（ａ），（ｂ）に示すものが挙げられる。図５（ａ）は頭部１に円周溝７を設け、この円周溝７内にリングバネ８を装着したものである。また、図５（ｂ）は頭部１ではないが、この逆の他端部にバネ部材９を装着したものである。このリングバネ８やバネ部材９のバネ力によってボールポイント型レンチ１００ａによるボルト５の保持が確実になるが、耐久性やメンテナンス性が悪い問題点がある。
【０００６】
本考案は、以上の事情に鑑みて考案されたものであり、ボルトの角穴に嵌り易く、長期間の使用ができ、メンテナンス性がよく、簡便，安価に実施できるボールポイント型レンチを提供することを目的とする。
【課題を解決するための手段】
【０００７】
本考案は、以上の目的を達成するために、請求項１の考案は、一端側に略球状の頭部を形成しＬ型に曲げられているボールポイント型レンチであって、該レンチは、前記頭部に貫通孔又は底付き穴を形成し、前記貫通孔又は底付き穴内にゴム部材を挿着し、前記ゴム部材の端部を前記頭部の外面から少し突出させることを特徴とする。
【０００８】
また、請求項２の考案は、前記ゴム部材が、シリコンゴム材からなることを特徴とする。
【０００９】
また、請求項３の考案は、前記ゴム部材が、その突出端を略弧状に形成することを特徴とする。
【考案の効果】
【００１０】
本考案の請求項１のボールポイント型レンチによれば、略球状の頭部の貫通孔や底付き穴にゴム部材を挿入し、このゴム部材の突出端を頭部の外面から少し突出させることにより、使用時においてゴム部材がボルト等の角穴に圧接し、ねじ廻しが発生し易くなり、安定したボルト等の締め付けや取り外しができる効果が上げられる。また、ゴム部材が摩耗してもゴム部材の押し出しにより使用が可能になり、長期間の使用ができる。
【００１１】
また、本考案の請求項２のボールポイント型レンチによれば、ゴム部材としてシリコンゴム材を用いることにより耐久性の向上が図れる。
【００１２】
また、本考案の請求項３のボールポイント型レンチによれば、ゴム部材の突出端を略弧状にすることにより、角穴に対する圧接力が緩和され、ゴム部材の摩耗が低減し、一層の耐久性の向上が図れる。
【考案を実施するための最良の形態】
【００１３】
以下、本考案のボールポイント型レンチの実施の形態を図面を参照して詳述する。
【実施例１】
【００１４】
図１は、図６における頭部１の部分を拡大表示した図面である。この頭部１には、図１及び図２に示すように貫通孔３が穿孔され、この貫通孔３内にはゴム部材２が挿着される。このゴム部材２としてはシリコンゴム材が耐久性の面で望ましいが、勿論それに限定するものではない。
また、図２に示すように、貫通孔３に挿着されたゴム部材２は頭部１の外面より少し突出した状態で挿入される。また、図２に示すように、ゴム部材２の突出端は略弧状に形成される。
【００１５】
以上の構造により、ボルト等の角穴に頭部１を挿入することにより、ゴム部材２が角穴に圧接し、ボルトの締め付けや取り外しが容易にできると共に、取り外されたボルト等がゴム部材の存在により頭部１にそのまま保持され、脱落しない状態になる。
【００１６】
頭部１に挿着されたゴム部材２が摩耗した場合には、図３に示すようにゴム部材２を一方側から押圧して他方側にはみ出させることにより、一時的ではあるが使用を続行し、長期間使用することも可能である。
【実施例２】
【００１７】
図４は本考案のボールポイント型レンチの別の実施例を示すものである。実施例１の場合は、頭部１に貫通孔３を穿孔し、その貫通孔３内にゴム部材２を挿着したが、本実施例では頭部１に底付き穴４を設けたものである。底付き穴４は図示のように左右双方に設けるのが望ましいが、一方側であってもよい。
この底付き穴４内にはゴム部材２ａが夫々挿着される。また、夫々のゴム部材２ａの突出端は図示のように略弧状に形成される。
以上の構造により、使用時にはボルト等の角穴にゴム部材２ａが圧接され、前記実施例とほぼ同様な効果を上げることができる。
【００１８】
本考案は、以上の説明した構造のものからなるが、ボールポイント型レンチ４としては前記の形状のものに限定するものではなく、また、ゴム部材２，２ａの挿着される部位の形状のは略球状のものに限定するものではない。また、実施例２ではゴム部材２ａを２箇所に挿着したが複数箇所でもよい。また、前記と同一の技術的範疇のものについて本考案が適用されることは勿論である。
【産業上の利用可能性】
【００１９】
本考案は、ボールポイント型レンチに関するものであるが、本考案の内容は同一の目的を有する他の工具に対しても適用され、その利用範囲は広い。
【図面の簡単な説明】
【００２０】
【図１】頭部の貫通孔にゴム部材を挿着したボールポイント型レンチの実施例を示す部分平面図。
【図２】図１のＡ−Ａ線断面図。
【図３】図１及び図２に示すボールポイント型レンチのゴム部材の摩耗時における処理の１つを示す模式断面図。
【図４】本考案の別の実施例を示す断面図。
【図５】従来の押圧材を有するボールポイント型レンチを示す部分正面図（ａ），（ｂ）。
【図６】従来のボールポイント型レンチの全体構造を示す平面図。
【図７】ボールポイント型レンチの使用状態を示す模式断面図。
【符号の説明】
【００２１】
１      頭部
２      ゴム部材
２ａ    ゴム部材
３      貫通孔
４      底付き穴
５      ボルト
６      角穴
１００  ボールポイント型レンチ
【図１】
0003128498.tif 000003
【図２】
0003128498.tif 000004
【図３】
0003128498.tif 000005
【図４】
0003128498.tif 000006
【図５】
0003128498.tif 000007
【図６】
0003128498.tif 000008
【図７】
0003128498.tif 000009